(57)【要約】【課題】  共有サーバ上に格納された共有ファイルを使用する際に、過去に他人がその共有ファイルを使用したときに同時に開いていた他の共有ファイルに係る情報を表示できるようにする。【解決手段】  ネットワークと接続されたコンピュータ上のディスク空間に格納されたファイルが、前記ネットワークと接続された他のコンピュータから参照されたときに、当該他のコンピュータで同時に開いていた他のファイルに係る情報を入手する情報入手ステップ（ステップＳ４０２）と、前記他のファイルに係る情報を格納する格納ステップと、前記他のファイルに係る情報を表示する表示ステップ（ステップ４０４）とを有するようにする。【選択図】  図４
2006302141.tif 000002
【特許請求の範囲】
【請求項１】
ネットワークと接続されたコンピュータ上のディスク空間に格納されたファイルが、前記ネットワークと接続された他のコンピュータから参照されたときに、当該他のコンピュータで同時に開いていた他のファイルに係る情報を入手する情報入手手段と、
前記情報入手手段で入手した他のファイルに係る情報を格納する格納手段と、
前記格納手段に格納した他のファイルに係る情報を表示する表示手段と
を有することを特徴とする表示システム。
【請求項２】
ネットワークと接続されたコンピュータ上のディスク空間に格納されたファイルが、前記ネットワークと接続された他のコンピュータから参照されたときに、当該他のコンピュータで同時に開いていた他のファイルに係る情報を入手する情報入手手段と、
前記他のファイルに対して、前記ディスク空間に格納されたファイルとの関係性を重み付けする重み付け手段と、
前記情報入手手段で入手した他のファイルに係る情報と、前記重み付け手段による重み付け情報とを関連付けて格納する格納手段と、
前記他のファイルに係る情報を前記重み付け情報に基づいて表示する表示手段と
を有することを特徴とする表示システム。
【請求項３】
ネットワークと接続されたコンピュータ上のディスク空間に格納されたファイルが、前記ネットワークと接続された他のコンピュータから参照されたときに、当該他のコンピュータで同時に開いていた他のファイルに係る情報を入手する情報入手手段と、
前記他のファイルに対して、前記ディスク空間に格納されたファイルとの関係性を重み付けする重み付け手段と、
前記情報入手手段で入手した他のファイルに係る情報と、前記重み付け手段による重み付け情報とを関連付けて格納する格納手段と、
前記他のファイルに係る情報のうち、所望のファイルに係る情報を選択する選択手段と、
前記選択手段で選択された所望のファイルに係る情報を前記重み付け情報に基づいて表示する表示手段と
を有することを特徴とする表示システム。
【請求項４】
ネットワークと接続されたコンピュータ上のディスク空間に格納されたファイルが、前記ネットワークと接続された他のコンピュータから参照されたときに、当該他のコンピュータで同時に開いていた他のファイルに係る情報を入手する情報入手ステップと、
前記他のファイルに係る情報を格納する格納ステップと、
前記他のファイルに係る情報を表示する表示ステップと
を有することを特徴とする表示システムの制御方法。
【請求項５】
ネットワークと接続されたコンピュータ上のディスク空間に格納されたファイルが、前記ネットワークと接続された他のコンピュータから参照されたときに、当該他のコンピュータで同時に開いていた他のファイルに係る情報を入手する情報入手ステップと、
前記他のファイルに係る情報を格納する格納ステップと、
前記他のファイルに係る情報を表示する表示ステップと
をコンピュータに実行させるためのプログラム。
【請求項６】
請求項５に記載のプログラムをコンピュータに読み取り可能に記憶したことを特徴とするコンピュータ読み取り可能な記憶媒体。
【発明の詳細な説明】
【技術分野】
【０００１】
本発明は、ネットワーク上の共有サーバに格納されている共有ファイルが使用されたときに、同時に使用されていた他のファイルの情報をアプリケーションの履歴メニューとして表示する表示システム、その制御方法、プログラム及びコンピュータ読み取り可能な記憶媒体に関する。
【背景技術】
【０００２】
現在、アプリケーションの履歴メニューは、個々のコンピュータ上にある各々のアプリケーションで使用したファイルを使用日付の新しいものから指定数分表示し、開くことができる機能を有している。
【０００３】
また、下記の特許文献１に記載の履歴メニューシステムでは、アプリケーションで使用したファイルの履歴を、ユーザがアプリケーションに対して登録した作業グループごとに分類して、保持／表示する履歴メニューシステムが提案されている。
【０００４】
【特許文献１】特開平１１−２９６４２１号公報
【発明の開示】
【発明が解決しようとする課題】
【０００５】
しかしながら、従来のアプリケーションにおけるシステムでは、共有サーバ上に格納されたファイルを他人が参照したときに、その他人が同時に参照していたファイルが何であったかをアプリケーションから履歴として参照することができなかった。
【０００６】
実際、１つの共有ファイルを参照しながら作業を行う場合には、それに関連した複数の共有ファイルを同時に参照しながら作業を遂行するケースが多い。この場合、その関連するファイルは、他のディレクトリに格納されている場合が多いために容易に見つけ出すことが困難であり、時間をかけて丹念に探し出すか、他の作業者の作業を中断させて関連ファイルの所在を聞くことしか方法がなかった。
【０００７】
本発明は上述の問題点にかんがみてなされたものであり、共有サーバ上に格納された共有ファイルを使用する際に、過去に他人がその共有ファイルを使用したときに同時に開いていた他の共有ファイルに係る情報の表示を実現する表示システム、表示システムの制御方法、プログラム及びコンピュータ読み取り可能な記憶媒体を提供することを目的とする。
【課題を解決するための手段】
【０００８】
本発明の表示システムは、ネットワークと接続されたコンピュータ上のディスク空間に格納されたファイルが、前記ネットワークと接続された他のコンピュータから参照されたときに、当該他のコンピュータで同時に開いていた他のファイルに係る情報を入手する情報入手手段と、前記情報入手手段で入手した他のファイルに係る情報を格納する格納手段と、前記格納手段に格納した他のファイルに係る情報を表示する表示手段とを有する。
【０００９】
本発明の表示システムにおける他の態様は、ネットワークと接続されたコンピュータ上のディスク空間に格納されたファイルが、前記ネットワークと接続された他のコンピュータから参照されたときに、当該他のコンピュータで同時に開いていた他のファイルに係る情報を入手する情報入手手段と、前記他のファイルに対して、前記ディスク空間に格納されたファイルとの関係性を重み付けする重み付け手段と、前記情報入手手段で入手した他のファイルに係る情報と、前記重み付け手段による重み付け情報とを関連付けて格納する格納手段と、前記他のファイルに係る情報を前記重み付け情報に基づいて表示する表示手段とを有する。
【００１０】
また、本発明の表示システムにおけるその他の態様は、ネットワークと接続されたコンピュータ上のディスク空間に格納されたファイルが、前記ネットワークと接続された他のコンピュータから参照されたときに、当該他のコンピュータで同時に開いていた他のファイルに係る情報を入手する情報入手手段と、前記他のファイルに対して、前記ディスク空間に格納されたファイルとの関係性を重み付けする重み付け手段と、前記情報入手手段で入手した他のファイルに係る情報と、前記重み付け手段による重み付け情報とを関連付けて格納する格納手段と、前記他のファイルに係る情報のうち、所望のファイルに係る情報を選択する選択手段と、前記選択手段で選択された所望のファイルに係る情報を前記重み付け情報に基づいて表示する表示手段とを有する。
【００１１】
本発明の表示システムの制御方法は、ネットワークと接続されたコンピュータ上のディスク空間に格納されたファイルが、前記ネットワークと接続された他のコンピュータから参照されたときに、当該他のコンピュータで同時に開いていた他のファイルに係る情報を入手する情報入手ステップと、前記他のファイルに係る情報を格納する格納ステップと、前記他のファイルに係る情報を表示する表示ステップとを有する。
【００１２】
本発明のプログラムは、ネットワークと接続されたコンピュータ上のディスク空間に格納されたファイルが、前記ネットワークと接続された他のコンピュータから参照されたときに、当該他のコンピュータで同時に開いていた他のファイルに係る情報を入手する情報入手ステップと、前記他のファイルに係る情報を格納する格納ステップと、前記他のファイルに係る情報を表示する表示ステップとをコンピュータに実行させるためものである。
【００１３】
本発明のコンピュータ読み取り可能な記憶媒体は、前記プログラムをコンピュータに読み取り可能に記憶する。
【発明の効果】
【００１４】
本発明によれば、共有サーバ上に格納された共有ファイルを使用する際に、過去に他人がその共有ファイルを使用したときに同時に開いていた他の共有ファイルに係る情報の表示を実現することができる。さらに、前記他の共有ファイルに係る情報を表示する際に、使用中の共有ファイルに対して関係が強い共有ファイルの順番で表示を行うことが可能となる。さらに、前記他の共有ファイルの情報を表示する際に、所望のファイルに係る情報のみを表示させることが可能となる。
【発明を実施するための最良の形態】
【００１５】
以下、本発明に係る実施形態を図面を参照しながら詳細に説明する。
【００１６】
（第１の実施形態）
図１は、第１の実施形態に係る表示システムのブロック構成図である。
この表示システムは、ユーザＡ及びＢが個々の業務でそれぞれ使用しているコンピュータ１０００及び３０００と、コンピュータ１０００及び３０００を使用しているユーザＡ及びＢが作成した文書ファイルを格納する共有サーバ２０００と、コンピュータ１０００及び３０００、並びに、共有サーバ２０００の各装置を接続するＬＡＮ（Local  Area  Network）４０００とを備えて構成されている。
【００１７】
コンピュータ１０００において、１００１はＣＰＵであり、コンピュータ１０００における全体の制御を行う。１００２はハードディスクコントローラ（ＨＤＣ）であり、後述のハードディスク（ＨＤ）１００３内のデータ・プログラムの制御を行う。ハードディスク１００３内には、本発明に係る機能を持ったアプリケーション１０１１（なお、本実施形態の説明では、エディタアプリケーションを想定する）が格納されている。
【００１８】
１００４はキーボードである。１００５は例えばマウスやディジタイザなどのポインティングデバイス（ＰＤ）であり、プログラムの開始などの指示を出す。１００６はＲＡＭであり、プログラムやデータを格納する。１００７は通信回線インターフェイス（Ｉ／Ｆ）であり、ＬＡＮ４０００につながっている。１００９は表示コントローラであり、ＶＲＡＭ１００８に格納された映像データを映像信号としてモニター１０１０に出力する制御を行う。コンピュータ３０００の内部構成についても、コンピュータ１０００と同様の構成であるため、その説明は省略する。
【００１９】
次に、共有サーバ２０００の内部構成について説明するが、コンピュータ１０００と同様の構成については説明を省略する。具体的に、図１に示す各部２００１、２００２、２００４〜２０１０の機能は、コンピュータ１０００におけるそれぞれ各部１００１、１００２〜１００４〜１０１０と同様の機能である。
【００２０】
ハードディスク（ＨＤ）２００３内には、コンピュータ１０００及び３０００のユーザが共同で利用している共有文書ＦｉｌｅＡ（２０１１）〜ＦｉｌｅＤ（２０１４）が存在し、また、同時参照情報データファイル２０１５〜２０１８には、各共有文書ＦｉｌｅＡ（２０１１）〜ＦｉｌｅＤ（２０１４）がユーザに使用されているとき、同時に同じユーザが使用している他の共有文書ファイルの情報をその使用状態に応じた重み付けデータとともに記録されている。
【００２１】
この重み付けデータは、その同時参照情報データファイルが対象とする文書Ｆｉｌｅが、開く、保存する、閉じるの操作が行われた時点で、開かれていた他の共有文書ファイルに対して重み付けデータを増加する。また、その同時参照情報データファイルが対象とする文書Ｆｉｌｅから、マイクロソフト社のＯＳであるウィンドウズ（登録商標）でいうところのフォーカスの移動が行われた、開かれていた他の共有文書ファイルに対して重み付けデータを増加する。さらに、開かれていた他の共有文書ファイルからその同時参照情報データファイルが対象とする文書Ｆｉｌｅにフォーカスが移動したときに、重み付けデータを増加する。
【００２２】
この同時参照情報データファイルへの書き込みは、それが対象とする文書Ｆｉｌｅの開く、保存する、閉じるの操作や、他のファイルへ、又は他のファイルからのフォーカスの移動等により重み付けデータの増加が生じたときに書き込まれる。
【００２３】
本実施形態を説明するのにあたり、初期のステップ１として、以下の各処理があったとする。
まず、コンピュータ１０００のユーザＡが、文書ＦｉｌｅＡ（予算計画2004上期.doc）２０１１を編集するのにあたり、文書ＦｉｌｅＡ（予算計画2004上期.doc）２０１１を２回にわたって、開く、保存する、閉じるの行為を行ったとする。ここで、１回目に開かれたときには、文書ＦｉｌｅＢ（事業計画2004上期.doc）２０１２がすでにコンピュータ１０００上のＲＡＭ１００６に展開されており、いわゆるファイルを開いた状態にあった。この文書ＦｉｌｅＢ（事業計画2004上期.doc）２０１２は、文書ＦｉｌｅＡ（予算計画2004上期.doc）２０１１が編集され、保存され、閉じられるまで、開かれた状態にあった。
【００２４】
文書ＦｉｌｅＡ（予算計画2004上期.doc）２０１１を１回目に開いて編集する際に、ユーザＡは、文書ＦｉｌｅＢ（事業計画2004上期.doc）２０１２を参照しながら編集をしていたとする。そのことは、例えば、マイクロソフト社のＯＳであるウィンドウズ（登録商標）でいうところのフォーカスの移動が、文書ＦｉｌｅＡ（予算計画2004上期.doc）２０１１と文書ＦｉｌｅＢ（事業計画2004上期.doc）２０１２との間であったということになる。このフォーカスの移動が、１２回行われたものとする。このことを、文書ＦｉｌｅＡ（予算計画2004上期.doc）２０１１側の観点から見たときに、このファイルからフォーカスが失われて移動した先が文書ＦｉｌｅＢ（事業計画2004上期.doc）２０１２であったことが６回、更に同様にフォーカスが戻ってきた際に、それまでフォーカスが存在していた先は、文書ＦｉｌｅＢ（事業計画2004上期.doc）２０１２であったことが６回あったということになる。
【００２５】
文書ＦｉｌｅＡ（予算計画2004上期.doc）２０１１が２回目に開かれたときには、文書ＦｉｌｅＢ（事業計画2004上期.doc）２０１２、文書ＦｉｌｅＣ（2004日程表.doc）２０１３、文書ＦｉｌｅＤ（予算2003下期.doc）２０１４がすでにコンピュータ１０００上のＲＡＭ１００６に展開されており、いわゆるファイルを開いた状態にあった。この文書ＦｉｌｅＢ（事業計画2004上期.doc）２０１２、文書ＦｉｌｅＣ（2004日程表.doc）２０１３、文書ＦｉｌｅＤ（予算2003下期.doc）２０１４は、文書ＦｉｌｅＡ（予算計画2004上期.doc）２０１１が編集され、保存され、閉じられるまで、開かれた状態にあった。
【００２６】
文書ＦｉｌｅＡ（予算計画2004上期.doc）２０１１を２回目に開いて編集する際に、ユーザＡは、文書ＦｉｌｅＢ（事業計画2004上期.doc）２０１２、文書ＦｉｌｅＣ（2004日程表.doc）２０１３、文書ＦｉｌｅＤ（予算2003下期.doc）２０１４を参照しながら編集をしていたとする。そのフォーカスの移動が、文書ＦｉｌｅＡ（予算計画2004上期.doc）２０１１からフォーカスが失われて、移動した先が文書ＦｉｌｅＢ（事業計画2004上期.doc）２０１２であったことが５回、更に同様にフォーカスが戻ってきた際に、それまでフォーカスが存在していた先が、文書ＦｉｌｅＢ（事業計画2004上期.doc）２０１２であったことが５回あった。
【００２７】
同様に文書ＦｉｌｅＡ（予算計画2004上期.doc）２０１１からフォーカスが失われて移動した先が文書ＦｉｌｅＣ（2004 日程表.doc）２０１３であったことが４回、更に同様にフォーカスが戻ってきた際に、それまでフォーカスが存在していた先が、文書ＦｉｌｅＣ（2004 日程表.doc）２０１３であったことが３回あった。
【００２８】
さらに同様に、文書ＦｉｌｅＡ（予算計画2004上期.doc）２０１１からフォーカスが失われて、移動した先が文書ＦｉｌｅＤ（予算2003下期.doc）２０１４であったことが２回、更に同様にフォーカスが戻ってきた際に、それまでフォーカスが存在していた先が、文書ＦｉｌｅＤ（予算2003下期.doc）２０１４であったことが３回あった。
【００２９】
この一連の処理により計算される、文書ＦｉｌｅＡ（予算計画2004上期.doc）２０１１に対する文書ＦｉｌｅＢ（２０１２）〜文書ＦｉｌｅＤ（２０１４）の重み付けデータは、図２のようになる。ただし、同時参照情報データファイルが対象とする文書Ｆｉｌｅが開く、保存する、閉じるの操作、及びフォーカスの移動で生じる重み付けデータの増加分をすべて１としている。
【００３０】
図２の結果を反映し、本実施形態におけるアプリケーション１０１１は、文書ＦｉｌｅＡ（２０１１）の同時参照情報データファイル（予算計画2004上期_doc.inf）２０１５を作成して文書ファイルＡ２０１１と同じディレクトリに保存する。その内容は、図３のようになる。
【００３１】
ここで、文書ＦｉｌｅＡ（２０１１）は、共有サーバーのファイルシステム上のディレクトリ「:/directryA/」に存在し、同様に文書ＦｉｌｅＢ（２０１２）〜ＦｉｌｅＤ（２０１４）は、以下のディレクトリに存在するとする。
【００３２】
文書ＦｉｌｅＢ（２０１２）は、「:/directryB/」
文書ＦｉｌｅＣ（２０１３）は、「:/directryC/directryC1/directryC2/」
文書ＦｉｌｅＤ（２０１４）は、「:/directryD/directryD1/」
【００３３】
図３の１行目のTargetFileでは、この同時参照情報データファイルが対象としているファイルを示し、この場合、文書ＦｉｌｅＡ（２０１１）のファイルパスが示されている。図３の２行目から４行目には、同時参照されていたファイルのパスとその重み付けデータが示されている。
【００３４】
続いて、本実施形態を説明するのにあたり、上述したステップ１の次のステップ２として、以下の状況を想定する。
コンピュータ３０００を使用しているユーザＢが、共有サーバ２０００上にある文書ＦｉｌｅＡ（予算計画2004上期.doc）２０１１を参照しながら、別の作業を行うことを想定する。
【００３５】
しかしながら、ユーザＢは、文書ＦｉｌｅＡ（予算計画2004上期.doc）２０１１から必要な情報が得られない場合、文書ＦｉｌｅＡ（予算計画2004上期.doc）２０１１を他人が使用したときに同時に参照されていた共有ファイルの情報を入手するため、アプリケーション１０１１のメニューから、本発明の機能である「同時に開いていたサーバー上のファイル」を選択する。このときのアプリケーション１０１１の処理の流れを図４に示す。
【００３６】
アプリケーション１０１１は、ステップＳ４０１において、同時参照情報データファイル（予算計画2004上期_doc.inf）２０１５の内容を読み込む。続いて、ステップＳ４０２において、文書ＦｉｌｅＡ（予算計画2004上期.doc）２０１１がユーザに使用されていた時に同時に開いていた文書ファイル（文書ＦｉｌｅＢ（事業計画2004上期.doc）２０１２、文書ＦｉｌｅＣ（2004日程表.doc）２０１３、文書ＦｉｌｅＤ（予算2003下期.doc）２０１４）に関する情報（同時参照情報：ファイルパスと重み付けデータ）を入手する。
【００３７】
続いて、ステップS４０３において、それらのファイルパス（/directryB/事業計画2004上期.doc、/directryC/directryC1/directryC2/2004日程表.doc、/directryD/directryD1/予算2003下期.doc）から、ファイル名（事業計画2004上期.doc、2004 日程表.doc、予算2003下期.doc）を切り出す。
【００３８】
続いて、ステップＳ４０４において、重み付けデータ順にファイル名を図５に示すようにメニューに表示する。
【００３９】
このステップＳ４０１〜ステップＳ４０４の処理を経ることにより、ユーザＢは、ユーザＡが共有ファイルを使用したときに同時に参照されていた、当該共有ファイルとは全く異なったディレクトリーに格納されている他の共有ファイルを容易に開き参照することができる。
【００４０】
第１の実施形態によれば、共有サーバ２０００上に格納された共有ファイルを使用する際に、過去に他人がその共有ファイルを使用したときに同時に開いていた他の共有ファイルに係る情報の表示を実現することができる。さらに、前記他の共有ファイルに係る情報を表示する際に、使用中の共有ファイルに対して関係が強い共有ファイルの順番で表示を行うことが可能となる。
【００４１】
本実施形態では、アプリケーション１０１１をエディタアプリケーションと想定して説明したが、表計算アプリケーションなど、その他の種類のアプリケーションを用いてもかまわない。
【００４２】
本実施形態では、同時参照情報データファイルが対象とする文書Ｆｉｌｅを開く、保存する、閉じる等の操作、及びフォーカスの移動で生じる重み付けデータの増加分を全て１としたが、これらの操作や、フォーカスの移動毎に違う値の重み付けデータの増加分が設定されてもかまわない。
【００４３】
本実施形態では、この同時参照情報データファイルへの書き込みは、それが対象とする文書Ｆｉｌｅを開く、保存する、閉じる等の操作や、他のファイルへ、又は他のファイルからのフォーカスの移動等により、重み付けデータの増加が生じたときになされるとしたが、例えば、重み付けデータの増加情報をコンピュータ１０００上のＲＡＭ１００６に記録管理し、対象とする文書Ｆｉｌｅを保存する又は閉じる時に、同時参照情報データファイルへ書き込むようにしてもかまわない。
【００４４】
本実施形態では、同時に参照されていた共有ファイルの情報やその重み付けデータを「同時参照情報データファイル」というファイル形式で管理していたが、これらのデータの管理をデータベースを用いて管理してもかまわない。
【００４５】
（第２の実施形態）
第１の実施形態では、ステップ１の最後で説明したように、ユーザＡが文書ＦｉｌｅＡ（予算計画2004上期.doc）２０１１を使用中に同時に使用していた文書ＦｉｌｅＢ（２０１２）〜文書ＦｉｌｅＤ（２０１４）に対して、図２から計算される重み付けデータとともに、図３に示すように、同時参照情報データファイルにデータとして書き込んでいた。
【００４６】
しかしながら、同時に使用していた文書ファイルの全てが、ユーザＡが文書ＦｉｌｅＡ（２０１１）を使用して行っていた処理に関係する訳ではなく、全く関係のない文書ファイルが、図３の同時参照情報データファイルに記録されて可能性もある。例えば、第１の実施形態で示したステップ１の処理中に、ユーザＡが文書ＦｉｌｅＡ（２０１１）を使用して行っていた処理とは全く違う処理が割り込まれてきて、文書ＦｉｌｅＡ（２０１１）を使用して行っていた作業中に、それとは関係のない共有サーバ２０００上にある文書ＦｉｌｅＥ（人事データ.doc）が、コンピュータ１０００上で使用されたとする。
【００４７】
例えば、処理中の文書ＦｉｌｅＡ（予算計画2004上期.doc）２０１１から文書ＦｉｌｅＥ（人事データ.doc）へフォーカスが移動し、その割り込み処理の終了後、フォーカスが文書ＦｉｌｅＥ（人事データ.doc）から文書ＦｉｌｅＡ（予算計画2004上期.doc）２０１１戻ってきた場合、文書ＦｉｌｅＥ（人事データ.doc）に対しては、フォーカスが行き来したために重み付けが発生し、図６に示すように、重み付けデータ「２」の値を持って、文書ＦｉｌｅＥ（人事データ.doc）が同時参照情報データファイルに記録されてしまう。その結果、ユーザＢが第１の実施形態のステップ２における処理を行うと、図７に示すように、「同時に開いていたサーバー上のファイル」メニューの中に「人事データ.doc」が紛れ込んでしまう。
【００４８】
これを防ぐために、第２の実施形態では、例えば、ユーザＡがステップ１での処理中に文書ＦｉｌｅＡ（予算計画2004上期.doc）２０１１の保存行為を行った際に、図８に示すような「同時に開いていたサーバー上のファイルの確認」を行うダイアログを出して、処理とは無関係なファイル（人事データ.doc）に対してチェックをはずして、同時参照情報データファイルに登録しないようにする。このようにすることで、図６、図７で示したような無関係な情報が同時参照情報データファイルに登録されて、「同時に開いていたサーバー上のファイル」メニューの中に表示されることを防ぐことができる。
【００４９】
第２の実施形態によれば、第１の実施形態における効果に加え、共有サーバ２０００上に格納された共有ファイルを使用する際に、過去に他人がその共有ファイルを使用したときに同時に開いていた他の共有ファイルに係る情報を表示する際に、所望のファイルに係る情報のみを表示させることが可能となる。
【００５０】
前述した本発明の各実施形態による表示システムを構成する図１の各手段、並びに表示システムの制御方法を示した図４の各ステップは、コンピュータのＲＡＭやＲＯＭなどに記憶されたプログラムが動作することによって実現できる。このプログラム及び当該プログラムを記録したコンピュータ読み取り可能な記憶媒体は本発明に含まれる。
【００５１】
具体的に、前記プログラムは、例えばＣＤ−ＲＯＭのような記憶媒体に記録し、あるいは各種伝送媒体を介し、コンピュータに提供される。前記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００５２】
また、コンピュータが供給されたプログラムを実行することにより前述した各実施形態による表示システムの機能が実現されるだけでなく、そのプログラムがコンピュータにおいて稼働しているＯＳ（オペレーティングシステム）あるいは他のアプリケーションソフト等と共同して前述した各実施形態による表示システムの機能が実現される場合や、供給されたプログラムの処理の全て、あるいは一部がコンピュータの機能拡張ボードや機能拡張ユニットにより行われて前述した各実施形態による表示システムの機能が実現される場合も、かかるプログラムは本発明に含まれる。
【図面の簡単な説明】
【００５３】
【図１】第１の実施形態に係る表示システムのブロック構成図である。
【図２】共有サーバ上にあるファイル間の関係を重み付けした一例を示した図である。
【図３】第１の実施形態における同時参照情報データファイルの内容を示した図である。
【図４】第１の実施形態に係る表示システムの制御方法を示したフローチャートである。
【図５】第１の実施形態に係る表示システムの制御方法により表示されるＧＵＩ画面の一例を示した図である。
【図６】第２の実施形態における同時参照情報データファイルの内容を示した図である。
【図７】第２の実施形態に係る表示システムの制御方法により表示されるＧＵＩ画面の一例を示した図である。
【図８】第２の実施形態に係る表示システムの制御方法に用いるＧＵＩ画面の一例を示した図である。
【符号の説明】
【００５４】
１０００、３０００  コンピュータ
１００１、２００１  ＣＰＵ
１００２、２００２  ハードディスクコントローラ（ＨＤＣ）
１００３、２００３  ハードディスク（ＨＤ）
１００４、２００４  キーボード
１００５、２００５  ポインティングデバイス
１００６、２００６  ＲＡＭ
１００７、２００７  通信回線インターフェイス
１００８、２００８  ＶＲＡＭ
１００９、２００９  表示コントローラ
１０１０、２０１０  モニター
１０１１  アプリケーション
２０００  共有サーバ
２０１１  文書ファイルＡ
２０１２  文書ファイルＢ
２０１３  文書ファイルＣ
２０１４  文書ファイルＤ
２０１５〜２０１８  同時参照情報データファイル
４０００  ＬＡＮ
【図１】
2006302141.tif 000003
【図２】
2006302141.tif 000004
【図３】
2006302141.tif 000005
【図４】
2006302141.tif 000006
【図５】
2006302141.tif 000007
【図６】
2006302141.tif 000008
【図７】
2006302141.tif 000009
【図８】
2006302141.tif 000010